(57)【要約】【課題】生体情報が含まれた証明書をオンラインで申請可能にする。【解決手段】電子申請システム１００において、管理サーバ３は、申請者端末１から申請者の個人情報が受信されると、各申請者の生体情報を格納する生体情報ＤＢ３０から、当該個人情報に対応する生体情報を取得し、その取得された生体情報を暗号化して通信ネットワークＮを介して申請者端末１に送信する。申請者端末１は、証明書発行装置２から所定のフォーマットの申請書データを取得し、その取得された申請書データに、証明書の発行に必要な事項を入力して暗号化し、管理サーバ３から受信された生体情報及び必要事項が入力された申請書データを、通信ネットワークＮを介して証明書発行装置２に送信する。証明書発行装置２は、申請者端末１から受信された生体情報及び申請書データに基づいて証明書を発行する。【選択図】図１
2005309905.tif 000002
【特許請求の範囲】
【請求項１】
証明書の申請者が使用する通信端末と、申請者の生体情報を管理する管理サーバと、証明書を発行する証明書発行装置を用いて証明書の申請手続きを行う電子申請方法であって、
前記管理サーバは、
前記通信端末から、生体情報の取得要求として申請者の個人情報が受信された場合、各申請者の生体情報と個人情報を対応付けて格納する生体情報データベースから、受信された個人情報に対応する生体情報を取得する工程と、
前記取得された生体情報を、生体情報の取得要求をした通信端末に通信ネットワークを介して送信する工程と、を含み、
前記通信端末は、
生体情報の取得要求として、申請者の個人情報を、通信ネットワークを介して前記管理サーバに送信する工程と、
前記証明書発行装置から所定のフォーマットの申請書データを取得する工程と、
前記取得された申請書データに、証明書の発行に必要な事項を入力し、前記管理サーバから受信された生体情報及び必要事項が入力された申請書データを、通信ネットワークを介して前記証明書発行装置に送信する工程と、を含み、
前記証明書発行装置は、
前記通信端末から受信された生体情報及び申請書データに基づいて証明書を発行することを特徴とする電子申請方法。
【請求項２】
証明書の申請者の生体情報を撮影する生体情報撮影装置と、証明書の申請者が使用する通信端末と、申請者の生体情報を管理する管理サーバと、証明書を発行する証明書発行装置を用いて証明書の申請手続きを行う電子申請方法であって、
前記生体情報撮影装置は、
前記撮影された申請者の生体情報及び当該申請者の個人情報を、通信ネットワークを介して前記管理サーバに送信する工程を含み、
前記管理サーバは、
前記生体情報撮影装置から受信された申請者の生体情報と個人情報を対応付けて生体情報データベースに登録する工程と、
前記通信端末から、生体情報の取得要求として申請者の個人情報が受信された場合、前記生体情報データベースから、当該個人情報に対応する生体情報を取得する工程と、
前記取得された生体情報を、生体情報の取得要求をした通信端末に通信ネットワークを介して送信する工程と、を含み、
前記通信端末は、
生体情報の取得要求として、申請者の個人情報を、通信ネットワークを介して前記管理サーバに送信する工程と、
前記証明書発行装置から所定のフォーマットの申請書データを取得する工程と、
前記取得された申請書データに、証明書の発行に必要な事項を入力し、前記管理サーバから受信された生体情報及び必要事項が入力された申請書データを、通信ネットワークを介して前記証明書発行装置に送信する工程と、を含み、
前記証明書発行装置は、
前記通信端末から受信された生体情報及び申請書データに基づいて証明書を発行することを特徴とする電子申請方法。
【請求項３】
前記生体情報撮影装置おいて、申請者の生体情報及び個人情報が暗号化され、その暗号化された情報が前記管理サーバに送信されることを特徴とする請求項２に記載の電子申請方法。
【請求項４】
前記管理サーバにおいて、前記生体情報データベースから取得された生体情報が暗号化され、その暗号化された生体情報が前記通信端末に送信され、
前記通信端末において、前記暗号化された生体情報及び必要事項が入力された申請書データが前記証明書発行装置に送信され、
前記証明書発行装置において、前記通信端末から受信された生体情報が復号化されることを特徴とする請求項１〜３の何れか一項に記載の電子申請方法。
【請求項５】
前記通信端末において、必要事項が入力された申請書データが暗号化され、
前記証明書発行装置において、暗号化された申請書データ及び生体情報が復号化されることを特徴とする請求項４に記載の電子申請方法。
【請求項６】
前記管理サーバにおいて、前記生体情報データベースから取得された生体情報から、解像度が異なる複数の画像が生成され、その生成された複数の画像が前記通信端末に送信されることを特徴とする請求項４又は５に記載の電子申請方法。
【請求項７】
前記管理サーバにおいて、前記生成された解像度が異なる複数の画像のうち、解像度が相対的に高い画像が暗号化され、暗号化された生体情報及び暗号化されていない生体情報が前記通信端末に送信されることを特徴とする請求項６に記載の電子申請方法。
【請求項８】
前記生体情報は、申請者の顔、虹彩、指紋、静脈のうちの少なくとも１つを含むことを特徴とする請求項１〜７の何れか一項に記載の電子申請方法。
【請求項９】
前記管理サーバにおいて、申請者の生体情報の特徴量が取得されることを特徴とする請求項１〜７の何れか一項に記載の電子申請方法。
【請求項１０】
前記証明書は公的証明書であることを特徴とする請求項１〜７の何れか一項に記載の電子申請方法。
【請求項１１】
前記証明書は電子証明書であることを特徴とする請求項１〜７の何れか一項に記載の電子申請方法。
【請求項１２】
証明書の申請者が使用する通信端末と、申請者の生体情報を管理する管理サーバと、証明書を発行する証明書発行装置を備える電子申請システムであって、
前記管理サーバは、
各申請者の生体情報を格納するデータベースと、
前記通信端末から、生体情報の取得要求として申請者の個人情報が受信された場合、前記生体情報データベースから、当該個人情報に対応する生体情報を取得する生体情報取得手段と、
前記取得された生体情報を、生体情報の取得要求をした通信端末に通信ネットワークを介して送信する生体情報送信手段と、備え、
前記通信端末は、
生体情報の取得要求として、申請者の個人情報を、通信ネットワークを介して前記管理サーバに送信する第１の送信手段と、
前記証明書発行装置から所定のフォーマットの申請書データを取得する申請書取得手段と、
前記取得された申請書データに、証明書の発行に必要な事項を入力し、前記管理サーバから受信された生体情報及び必要事項が入力された申請書データを、通信ネットワークを介して前記証明書発行装置に送信する第２の送信手段と、を備え、
前記証明書発行装置は、
前記通信端末から受信された生体情報及び申請書データに基づいて証明書を発行することを特徴とする電子申請システム。
【請求項１３】
証明書の申請者の生体情報を撮影する生体情報撮影装置と、証明書の申請者が使用する通信端末と、申請者の生体情報を管理する管理サーバと、証明書を発行する証明書発行装置を備える電子申請システムであって、
前記生体情報撮影装置は、
前記撮影された申請者の生体情報及び当該申請者の個人情報を、通信ネットワークを介して前記管理サーバに送信する送信手段を備え、
前記管理サーバは、
前記生体情報撮影装置から受信された申請者の生体情報と個人情報を対応付けて生体情報データベースに登録する登録手段と、
前記通信端末から、生体情報の取得要求として申請者の個人情報が受信された場合、前記生体情報データベースから、当該個人情報に対応する生体情報を取得する生体情報取得手段と、
前記取得された生体情報を、生体情報の取得要求をした通信端末に通信ネットワークを介して送信する生体情報送信手段と、を備え、
前記通信端末は、
生体情報の取得要求として、申請者の個人情報を、通信ネットワークを介して前記管理サーバに送信する第１の送信手段と、
前記証明書発行装置から所定のフォーマットの申請書データを取得する申請書取得手段と、
前記取得された申請書データに、証明書の発行に必要な事項を入力し、前記管理サーバから受信された生体情報及び必要事項が入力された申請書データを、通信ネットワークを介して前記証明書発行装置に送信する第２の送信手段と、を備え、
前記証明書発行装置は、
前記通信端末から受信された生体情報及び申請書データに基づいて証明書を発行することを特徴とする電子申請システム。
【請求項１４】
前記生体情報撮影装置は、
申請者の生体情報及び個人情報を暗号化する暗号化手段を備え、
前記送信手段は、前記暗号化された生体情報及び個人情報を前記管理サーバに送信することを特徴とする請求項１３に記載の電子申請システム。
【請求項１５】
前記管理サーバは、
前記生体情報データベースから取得された生体情報を暗号化する暗号化手段を備え、
前記生体情報送信手段は、前記暗号化された生体情報を前記通信端末に送信し、
前記通信端末の第２の送信手段は、暗号化された生体情報及び必要事項が入力された申請書データを前記証明書発行装置に送信し、
前記証明書発行装置は、前記通信端末から受信された生体情報を復号化する復号化手段を備えることを特徴とする請求項１２〜１４の何れか一項に記載の電子申請システム。
【請求項１６】
前記通信端末は、必要事項が入力された申請書データを暗号化する暗号化手段を備え、
前記証明書発行装置の復号化手段は、前記通信端末から受信された、暗号化された申請書データ及び生体情報を復号化することを特徴とする請求項１５に記載の電子申請システム。
【請求項１７】
前記管理サーバは、
前記生体情報データベースから取得された生体情報から、解像度が異なる複数の画像を生成する生成手段を備え、
前記生体情報送信手段は、前記生成手段により生成された複数の画像を前記通信端末に送信することを特徴とする請求項１５又は１６に記載の電子申請システム。
【請求項１８】
前記管理サーバの暗号化手段は、前記生成手段により生成された解像度が異なる複数の画像のうち、解像度が相対的に高い画像を暗号化し、
前記生体情報送信手段は、前記暗号化された生体情報及び暗号化されていない生体情報を前記通信端末に送信することを特徴とする請求項１７に記載の電子申請システム。
【請求項１９】
前記生体情報は、申請者の顔、虹彩、指紋、静脈のうちの少なくとも１つを含むことを特徴とする請求項１２〜１８の何れか一項に記載の電子申請システム。
【請求項２０】
前記管理サーバの生体情報取得手段は、申請者の生体情報の特徴量を取得することを特徴とする請求項１２〜１８の何れか一項に記載の電子申請システム。
【請求項２１】
前記証明書は公的証明書であることを特徴とする請求項１２〜１８の何れか一項に記載の電子申請システム。
【請求項２２】
前記証明書は電子証明書であることを特徴とする請求項１２〜１８の何れか一項に記載の電子申請システム。
【発明の詳細な説明】
【技術分野】
【０００１】
本発明は、各種の証明書を申請する電子申請方法及び電子申請システムに関する。
【背景技術】
【０００２】
従来、パスポート、運転免許証、国民証等の公的証明書を申請するには、申請者が申請用紙に必要事項を記入して顔写真を貼り、申請書を発行する機関に送付するという方法がとられていた。近年、ＩＴ（Information Technology）技術の進歩により、各種のデータをオンラインで送信するインフラストラクチャーが整備されつつあり、証明書をオンラインで申請する技術が提案されている（例えば、特許文献１参照。）。
【特許文献１】特開２００２−３１２５４０号公報
【発明の開示】
【発明が解決しようとする課題】
【０００３】
しかしながら、現状では、顔画像等の生体情報を含む証明書をオンラインで申請する方法は、セキュリティ等の問題から確立されておらず、本格的な運用には至っていないという問題があった。
【０００４】
本発明の課題は、生体情報が含まれた証明書をオンラインで申請する方法を提供することである。
【課題を解決するための手段】
【０００５】
上記課題を解決するため、請求項１に記載の発明は、証明書の申請者が使用する通信端末と、申請者の生体情報を管理する管理サーバと、証明書を発行する証明書発行装置を用いて証明書の申請手続きを行う電子申請方法であって、前記管理サーバは、前記通信端末から、生体情報の取得要求として、申請者の個人情報が受信された場合、各申請者の生体情報と個人情報を対応付けて格納する生体情報データベースから、受信された個人情報に対応する生体情報を取得する工程と、前記取得された生体情報を、生体情報の取得要求をした通信端末に通信ネットワークを介して送信する工程と、を含み、前記通信端末は、生体情報の取得要求として、申請者の個人情報を、通信ネットワークを介して前記管理サーバに送信する工程と、前記証明書発行装置から所定のフォーマットの申請書データを取得する工程と、前記取得された申請書データに、証明書の発行に必要な事項を入力し、前記管理サーバから受信された生体情報及び必要事項が入力された申請書データを、通信ネットワークを介して前記証明書発行装置に送信する工程と、を含み、前記証明書発行装置は、前記通信端末から受信された生体情報及び申請書データに基づいて証明書を発行することを特徴としている。
【０００６】
請求項２に記載の発明は、証明書の申請者の生体情報を撮影する生体情報撮影装置と、証明書の申請者が使用する通信端末と、申請者の生体情報を管理する管理サーバと、証明書を発行する証明書発行装置を用いて証明書の申請手続きを行う電子申請方法であって、前記生体情報撮影装置は、前記撮影された申請者の生体情報及び当該申請者の個人情報を、通信ネットワークを介して前記管理サーバに送信する工程を含み、前記管理サーバは、前記生体情報撮影装置から受信された申請者の生体情報と個人情報を対応付けて生体情報データベースに登録する工程と、前記通信端末から、生体情報の取得要求として、申請者の個人情報が受信された場合、前記生体情報データベースから、当該個人情報に対応する生体情報を取得する工程と、前記取得された生体情報を、生体情報の取得要求をした通信端末に通信ネットワークを介して送信する工程と、を含み、前記通信端末は、生体情報の取得要求として、申請者の個人情報を、通信ネットワークを介して前記管理サーバに送信する工程と、前記証明書発行装置から所定のフォーマットの申請書データを取得する工程と、前記取得された申請書データに、証明書の発行に必要な事項を入力し、前記管理サーバから受信された生体情報及び必要事項が入力された申請書データを、通信ネットワークを介して前記証明書発行装置に送信する工程と、を含み、前記証明書発行装置は、前記通信端末から受信された生体情報及び申請書データに基づいて証明書を発行することを特徴としている。
【０００７】
請求項３に記載の発明は、請求項２に記載の電子申請方法において、前記生体情報撮影装置おいて、申請者の生体情報及び個人情報が暗号化され、その暗号化された情報が前記管理サーバに送信されることを特徴としている。
【０００８】
請求項４に記載の発明は、請求項１〜３の何れか一項に記載の電子申請方法において、前記管理サーバにおいて、前記生体情報データベースから取得された生体情報が暗号化され、その暗号化された生体情報が前記申請者端末に送信され、前記申請者端末において、前記暗号化された生体情報及び必要事項が入力された申請書データが前記証明書発行装置に送信され、前記証明書発行装置において、前記申請者端末から受信された生体情報が復号化されることを特徴としている。
【０００９】
請求項５に記載の発明は、請求項４に記載の電子申請方法において、前記申請者端末において、必要事項が入力された申請書データが暗号化され、前記証明書発行装置において、暗号化された申請書データ及び生体情報が復号化されることを特徴としている。
【００１０】
請求項６に記載の発明は、請求項４又は５に記載の電子申請方法において、前記管理サーバにおいて、前記生体情報データベースから取得された生体情報から、解像度が異なる複数の画像が生成され、その生成された複数の画像が前記申請者端末に送信されることを特徴としている。
【００１１】
請求項７に記載の発明は、請求項６に記載の電子申請方法において、前記管理サーバにおいて、前記生成された解像度が異なる複数の画像のうち、解像度が相対的に高い画像が暗号化され、暗号化された生体情報及び暗号化されていない生体情報が前記申請者端末に送信されることを特徴としている。
【００１２】
請求項８に記載の発明は、請求項１〜７の何れか一項に記載の電子申請方法において、前記生体情報は、申請者の顔、虹彩、指紋、静脈のうちの少なくとも１つを含むことを特徴としている。
【００１３】
請求項９に記載の発明は、請求項１〜７の何れか一項に記載の電子申請方法において、前記管理サーバにおいて、申請者の生体情報の特徴量が取得されることを特徴としている。
【００１４】
請求項１０に記載の発明は、請求項１〜７の何れか一項に記載の電子申請方法において、前記証明書は公的証明書であることを特徴としている。
【００１５】
請求項１１に記載の発明は、請求項１〜７の何れか一項に記載の電子申請方法において、前記証明書は電子証明書であることを特徴としている。
【００１６】
請求項１２に記載の発明は、証明書の申請者が使用する通信端末と、申請者の生体情報を管理する管理サーバと、証明書を発行する証明書発行装置を備える電子申請システムであって、前記管理サーバは、各申請者の生体情報を格納するデータベースと、前記通信端末から、生体情報の取得要求として、申請者の個人情報が受信された場合、前記生体情報データベースから、当該個人情報に対応する生体情報を取得する生体情報取得手段と、前記取得された生体情報を、生体情報の取得要求をした通信端末に通信ネットワークを介して送信する生体情報送信手段と、備え、前記通信端末は、生体情報の取得要求として、申請者の個人情報を、通信ネットワークを介して前記管理サーバに送信する第１の送信手段と、前記証明書発行装置から所定のフォーマットの申請書データを取得する申請書取得手段と、前記取得された申請書データに、証明書の発行に必要な事項を入力し、前記管理サーバから受信された生体情報及び必要事項が入力された申請書データを、通信ネットワークを介して前記証明書発行装置に送信する第２の送信手段と、を備え、前記証明書発行装置は、前記通信端末から受信された生体情報及び申請書データに基づいて証明書を発行することを特徴としている。
【００１７】
請求項１３に記載の発明は、証明書の申請者の生体情報を撮影する生体情報撮影装置と、証明書の申請者が使用する通信端末と、申請者の生体情報を管理する管理サーバと、証明書を発行する証明書発行装置を備える電子申請システムであって、前記生体情報撮影装置は、前記撮影された申請者の生体情報及び当該申請者の個人情報を、通信ネットワークを介して前記管理サーバに送信する送信手段を備え、前記管理サーバは、前記生体情報撮影装置から受信された申請者の生体情報と個人情報を対応付けて生体情報データベースに登録する登録手段と、前記通信端末から、生体情報の取得要求として、申請者の個人情報が受信された場合、前記生体情報データベースから、当該個人情報に対応する生体情報を取得する生体情報取得手段と、前記取得された生体情報を、生体情報の取得要求をした通信端末に通信ネットワークを介して送信する生体情報送信手段と、を備え、前記通信端末は、生体情報の取得要求として、申請者の個人情報を、通信ネットワークを介して前記管理サーバに送信する第１の送信手段と、前記証明書発行装置から所定のフォーマットの申請書データを取得する申請書取得手段と、前記取得された申請書データに、証明書の発行に必要な事項を入力し、前記管理サーバから受信された生体情報及び必要事項が入力された申請書データを、通信ネットワークを介して前記証明書発行装置に送信する第２の送信手段と、を備え、前記証明書発行装置は、前記通信端末から受信された生体情報及び申請書データに基づいて証明書を発行することを特徴としている。
【００１８】
請求項１４に記載の発明は、請求項１３に記載の電子申請システムにおいて、前記生体情報撮影装置は、申請者の生体情報及び個人情報を暗号化する暗号化手段を備え、前記送信手段は、前記暗号化された生体情報及び個人情報を前記管理サーバに送信することを特徴としている。
【００１９】
請求項１５に記載の発明は、請求項１２〜１４の何れか一項に記載の電子申請システムにおいて、前記管理サーバは、前記生体情報データベースから取得された生体情報を暗号化する暗号化手段を備え、前記生体情報送信手段は、前記暗号化された生体情報を前記申請者端末に送信し、前記申請者端末の第２の送信手段は、暗号化された生体情報及び必要事項が入力された申請書データを前記証明書発行装置に送信し、前記証明書発行装置は、前記申請者端末から受信された生体情報を復号化する復号化手段を備えることを特徴としている。
【００２０】
請求項１６に記載の発明は、請求項１５に記載の電子申請システムにおいて、前記申請者端末は、必要事項が入力された申請書データを暗号化する暗号化手段を備え、前記証明書発行装置の復号化手段は、前記申請者端末から受信された、暗号化された申請書データ及び生体情報を復号化することを特徴としている。
【００２１】
請求項１７に記載の発明は、請求項１５又は１６に記載の電子申請システムにおいて、前記管理サーバは、前記生体情報データベースから取得された生体情報から、解像度が異なる複数の画像を生成する生成手段を備え、前記生体情報送信手段は、前記生成手段により生成された複数の画像を前記申請者端末に送信することを特徴としている。
【００２２】
請求項１８に記載の発明は、請求項１７に記載の電子申請システムにおいて、前記管理サーバの暗号化手段は、前記生成手段により生成された解像度が異なる複数の画像のうち、解像度が相対的に高い画像を暗号化し、前記生体情報送信手段は、前記暗号化された生体情報及び暗号化されていない生体情報を前記申請者端末に送信することを特徴としている。
【００２３】
請求項１９に記載の発明は、請求項１２〜１８の何れか一項に記載の電子申請システムにおいて、前記生体情報は、申請者の顔、虹彩、指紋、静脈のうちの少なくとも１つを含むことを特徴としている。
【００２４】
請求項２０に記載の発明は、請求項１２〜１８の何れか一項に記載の電子申請システムにおいて、前記管理サーバの生体情報取得手段は、申請者の生体情報の特徴量を取得することを特徴としている。
【００２５】
請求項２１に記載の発明は、請求項１２〜１８の何れか一項に記載の電子申請システムにおいて、前記証明書は公的証明書であることを特徴としている。
【００２６】
請求項２２に記載の発明は、請求項１２〜１８の何れか一項に記載の電子申請システムにおいて、前記証明書は電子証明書であることを特徴としている。
【発明の効果】
【００２７】
本発明によれば、申請者の顔画像等の生体情報が含まれた証明書を、申請者端末から通信ネットワークを介して申請することができ、証明書を申請する際の利便性を向上させることができる。
【００２８】
また、申請者の生体情報は暗号化されるため、証明書を申請する際のセキュリティを確保することができる。
【００２９】
更に、生体情報データベースから取得された生体情報から、解像度の異なる複数の画像を生成し、解像度が相対的に高い画像を暗号化して通信端末に送信することにより、生体情報の二次利用を防ぐことができる。また、解像度が相対的に低い画像は暗号化せずに通信端末に送信することにより、申請者は、その暗号化されていない生体情報を閲覧することができる。
【００３０】
また、生体情報撮影用の装置で申請者の生体情報を撮影することにより、照明、背景等の周囲の環境が常に一定に保たれた状態で撮影されたクオリティの高い生体情報を得ることができる。
【発明を実施するための最良の形態】
【００３１】
〈実施形態１〉
図１〜３を参照して、本発明の実施形態１について説明する。
まず、実施形態１における構成について説明する。
【００３２】
図１に、本実施形態１に係る電子申請システム１００の構成を示す。電子申請システム１００は、図１に示すように、申請者端末１、証明書発行装置２、管理サーバ３により構成され、これらの各装置は、通信ネットワークＮを介して相互に接続される。
【００３３】
通信ネットワークＮには、インターネット、電話回線網、ＩＳＤＮ（Integrated Services Digital Network）回線網、ＡＤＳＬ（Asymmetric Digital Subscriber Line）回線網、移動体通信網、通信衛星回線、ＣＡＴＶ回線、光通信回線、無線通信回線等が含まれる。なお、１台の管理サーバ３、１台の証明書発行装置２に通信ネットワークＮを介して接続される申請者端末１の台数は特に限定されない。
【００３４】
申請者端末１は、証明書の申請者が使用する通信端末であるＰＣ（Personal Computer）１１、ＩＣメモリの読み書きを行うためのＲ／Ｗ（リーダライタ）１２を備えている。ＰＣ１１は、ＣＰＵ（Central Processing Unit）、ＲＡＭ（Random Access Memory）、ＲＯＭ（Read Only Memory）、操作部、表示モニタ等を備えている。
【００３５】
申請者端末１は、証明書を申請する際、証明書発行装置２から電子申請書を取得し、取得された電子申請書に、操作部の操作により必要事項を入力する。そして、申請者端末１は、申請者の個人情報を管理サーバ３に送信することにより、申請者の生体情報の取得要求を行う。管理サーバ３から、申請者の暗号化された生体情報が取得されると、申請者端末１は、電子申請書を所定の暗号化処理により暗号化し、暗号化された電子申請書及び生体情報を証明書発行装置２に送信することにより、証明書の発行を依頼する。
【００３６】
証明書発行装置２は、公的証明書を発行する公的機関（政府の関連機関）に設置されており、各申請者の個人情報を格納した個人情報ＤＢ（Data Base）２１を備えている。個人情報ＤＢ２１には、各申請者の個人情報として、氏名、住所、ＩＤ番号、ＰＩＮ番号等の、申請者を識別する情報が格納されている。
【００３７】
証明書発行装置２は、申請者端末１からの申請書の取得要求に応じて、電子申請書（申請書のデジタルデータ）を申請者端末１に送信する。また、証明書発行装置２は、申請者端末１から、暗号化された電子申請書及び生体情報を受信し、受信された暗号情報を復号化する。そして、証明書発行装置２は、復号化された電子申請書に含まれる個人情報と、個人情報ＤＢ２１に格納された個人情報を照合することにより、電子申請書の受理の可否を判定し、電子申請書の受理が可能であると判定された場合に、復号化された電子申請書及び生体情報に基づいて公的証明書を発行する。
【００３８】
管理サーバ３は、各申請者の生体情報を管理するサーバであり、各申請者の生体情報と個人情報を対応付けて格納した生体情報ＤＢ３０を備えている。生体情報ＤＢ３０は、各申請者の顔画像データを格納した顔ＤＢ３１と、各申請者の指紋データを格納した指紋ＤＢ３２と、各申請者の虹彩データを格納した虹彩ＤＢ３３を備えている。生体情報ＤＢ３０には、各申請者が各自で取得した生体情報が登録されている。例えば、顔ＤＢ３１に格納される申請者の顔画像は、申請者が保有するデジタルカメラで撮影された顔画像であってもよい。なお、生体情報ＤＢ３０に、顔、指紋、虹彩の他に、静脈のデータを格納するようにしてもよい。
【００３９】
生体情報ＤＢ３０に格納される生体情報は、生体情報の特徴量であることが好ましい。特徴量とは、例えば、指紋の場合、各指紋画像の相違点が比較的明確な、指紋の頂点の位置や数等を示すデータであり、生体情報全体を表す画像データよりもデータ容量が小さい。生体情報の特徴量データを用いることにより、本人認証を容易かつ迅速に行うことができる。
【００４０】
管理サーバ３は、申請者端末１から、申請者の生体情報の取得要求として、当該申請者の個人情報が受信されると、申請者の個人情報に基づいて、当該申請者の生体情報を生体情報ＤＢ３０から取得し、その取得された生体情報を所定の暗号化処理により暗号化するとともに、その生体情報のサムネイル画像を生成する。そして、管理サーバ３は、暗号化された生体情報及びそのサムネイル画像を、生体情報の取得要求をした申請者端末１に送信する。
【００４１】
次に、実施形態１における動作について説明する。
図２及び図３のフローチャートを参照して、実施形態１の電子申請システム１００において実行される証明書申請処理について説明する。
【００４２】
まず、申請者端末１と証明書発行装置２が通信ネットワークＮを介して接続される（ステップＡ１、Ｂ１）。申請者端末１から申請書の取得要求があると、証明書発行装置２から申請書端末１に電子申請書取得画面のデータが送信される（ステップＢ２）。
【００４３】
申請者端末１では、証明書発行装置２から受信した電子申請書取得画面において、電子申請書を入手するための情報が入力され（ステップＡ２）、入力された電子申請書入手用情報が証明書発行装置２に送信される（ステップＡ３）。
【００４４】
証明書発行装置２では、申請者端末１から電子申請書入手用情報が受信されると（ステップＢ３）、当該入手用情報の入力事項に、入力洩れ等の不備があるか否かが判定され、不備がないと判定された場合、所定のフォーマットの電子申請書（申請書データ）が申請者端末１に送信される（ステップＢ４）。
【００４５】
申請者端末１では、証明書発行装置２から電子申請書が受信されると（ステップＡ４）、受信された電子申請書に、証明書の発行に必要な事項が入力される（ステップＡ５）。ここで、電子申請書に入力する必要事項には、申請者の個人情報が含まれる。電子申請書への必要事項の入力が終了すると、申請者端末１と管理サーバ３が通信ネットワークＮを介して接続され（ステップＡ６、Ｃ１）、管理サーバ３から申請者端末１に、申請者の生体情報を取得するための生体情報取得画面のデータが送信される（ステップＣ２）。
【００４６】
申請者端末１では、生体情報取得画面において、申請者の本人確認に必要な情報が入力され（ステップＡ７）、入力された本人確認情報が管理サーバ３に送信される（ステップＡ８）。ここで、ステップＡ７において入力される本人確認情報には、申請者本人の個人情報（氏名、住所、ＩＤ番号、ＰＩＮ番号等）が含まれる。
【００４７】
管理サーバ３では、申請者端末１から本人確認情報が受信されると（ステップＣ３）、本人確認情報に含まれる個人情報から、本人確認が可能であるか否かが判定される（ステップＣ４）。ステップＣ４では、例えば、生体情報ＤＢ３０に個人情報及び生体情報が格納されているか否かを判定することにより、本人確認の可否が判定される。
【００４８】
ステップＣ４において、本人確認ができなかった場合（ステップＣ４；ＮＯ）、管理サーバ３から申請者端末１に、本人確認情報の再入力を要求するメッセージが送信される（ステップＣ５）。本人確認情報の再入力要求メッセージを送信後、管理サーバ３は、申請者端末１からの本人確認情報の受信を待機する。
【００４９】
ステップＣ４において、本人確認ができた場合（ステップＣ４；ＹＥＳ）、生体情報ＤＢ３０（顔ＤＢ３１、指紋ＤＢ３２、虹彩ＤＢ３３）に接続され（ステップＣ６）、本人確認情報に含まれる個人情報に対応する生体情報が取得される（ステップＣ７）。ステップＣ７では、生体情報として、申請者の顔、指紋、虹彩、静脈のうちの少なくとも１つが取得される。
【００５０】
申請者の生体情報が取得されると、その生体情報が暗号化されるとともに（ステップＣ８）、その生体情報のサムネイル画像が生成され（ステップＣ９）、暗号化された生体情報及びサムネイル画像が申請者端末１に送信される（ステップＣ１０）。このように、解像度が相対的に低いサムネイル画像を生成し、解像度が相対的に高い画像を暗号化し、暗号化された生体情報及び暗号化されていないサムネイル画像を申請者端末１に送信することにより、申請者は、解像度が相対的に高い暗号化された生体情報は閲覧することができないため、生体情報の二次利用を防ぐことができる。また、生体情報のサムネイル画像を、申請者の閲覧用として利用することができる。
【００５１】
申請者端末１では、暗号化された生体情報及びサムネイル画像が管理サーバ３から取得され（ステップＡ９）、操作部の操作により、電子申請書及び生体情報の送信指示があると（ステップＡ１０；ＹＥＳ）、ステップＡ５において必要事項が入力された電子申請書が暗号化される（ステップＡ１１）。
【００５２】
次いで、暗号情報（暗号化された生体情報及び電子申請書）が申請書端末１から証明書発行装置２に送信される（ステップＡ１２）。証明書発行装置２では、申請者端末１から暗号情報が受信されると（ステップＢ５）、その受信された暗号情報が復号化される（ステップＢ６）。
【００５３】
次いで、復号化された生体情報及び電子申請書から、申請者端末１から受信された情報の真偽（電子申請書が受理可能であるか否か）が判定される（ステップＢ７）。ステップＢ７では、例えば、電子申請書に入力された個人情報と、個人情報ＤＢ２１に格納された個人情報を照合することにより、電子申請書が受理可能であるか否かが判定される。即ち、個人情報ＤＢ２１に、該当する個人情報が格納されている場合に、電子申請書が受理可能となる。
【００５４】
ステップＢ７において、電子申請書の受理が不可であると判定された場合（ステップＢ７；ＮＧ）、証明書発行装置２から申請者端末１に、電子申請書の受理が不可である旨を通知するエラーメッセージが送信され（ステップＢ９）、本証明書申請処理が終了する。
【００５５】
ステップＢ７において、電子申請書の受理が可能であると判定された場合（ステップＢ７；ＯＫ）、申請者端末１から受信された電子申請書が受理され（ステップＢ８）、本証明書申請処理が終了する。証明書発行装置２では、電子申請書が受理されると、その受理された電子申請書及び申請者の生体情報に基づいて証明書が発行される。
【００５６】
以上のように、本実施形態１の電子申請システム１００によれば、申請者の顔画像等の生体情報が含まれた証明書を、申請者端末１から通信ネットワークＮを介して申請することができ、証明書を申請する際の利便性を向上させることができる。特に、申請者の生体情報及び電子申請書は暗号化されることにより、証明書を申請する際のセキュリティを確保することができる。
【００５７】
〈実施形態２〉
次に、図４〜６を参照して、本発明の実施形態２について説明する。
まず、実施形態２における構成について説明する。
【００５８】
図４に、本発明の実施形態２に係る電子申請システム２００の構成を示す。なお、実施形態２の電子申請システム２００において、実施形態１の電子申請システム１００と同一の構成要素には、同一の符号を用いるものとする。以下、実施形態１の電子申請システム１００と異なる点のみを説明する。
【００５９】
電子申請システム２００は、図４に示すように、図４に示すように、申請者端末１、証明書発行装置２、管理サーバ３、生体情報撮影装置としての証明写真システム４により構成され、各装置は、通信ネットワークＮを介して相互に接続される。
【００６０】
通信ネットワークＮには、インターネット、電話回線網、ＩＳＤＮ（Integrated Services Digital Network）回線網、ＡＤＳＬ（Asymmetric Digital Subscriber Line）回線網、移動体通信網、通信衛星回線、ＣＡＴＶ回線、光通信回線、無線通信回線等が含まれる。なお、１台の管理サーバ３、１台の証明書発行装置２に通信ネットワークＮを介して接続される申請者端末１の台数は特に限定されない。
【００６１】
管理サーバ３が有する生体情報ＤＢ３０には、証明写真システム４において撮影された申請者の生体情報と個人情報が対応付けて格納される。
【００６２】
図５に、証明写真システム４の内部構成を示す。証明写真システム４は、利用者（申請者）が入室可能な筐体からなる撮影室を備え、街頭や駅構内等、利用者が利用しやすい各地に設置されている。
【００６３】
証明写真システム４は、図５に示すように、制御部４０、表示モニタ４１、操作部４２、課金装置４３、生体情報取得装置４ａ（指紋センサ４４、顔撮影装置４５、虹彩撮影装置４６）、通信部４７等により構成される。
【００６４】
制御部４０は、ＣＰＵ（Central Processing Unit）、ＲＡＭ（Random Access Memory）、ＲＯＭ（Read Only Memory）等により構成される。ＣＰＵは、操作部４２の操作により入力された各種指示に従って、ＲＯＭに記憶されている制御プログラムとの協働により、証明写真システム４の各部を統括的に制御する。以下、制御部４０の制御動作について説明する。
【００６５】
制御部４０は、操作部４２の操作により入力された証明書の申請者の個人情報と、生体情報取得装置４ａから取得された申請者の生体情報（顔、指紋、虹彩等）を暗号化し、その暗号化された情報を、通信部４７により、管理サーバ３に送信させる。
【００６６】
表示モニタ４１は、ＬＣＤ（Liquid Crystal Display）等の表示ディスプレイを備え、制御部４０から入力された制御信号に従って、所要の表示処理を行う。
【００６７】
操作部４２は、数字キー、文字キー、撮影を指示するための撮影キー等の各種機能キーを備え、キー操作による操作信号を制御部４０に出力する。また、操作部４２は、表示モニタのＬＣＤを覆うように設けられたタッチパネルを有し、電磁誘導式、磁気歪式、感圧式等の座標読み取り原理でタッチ指示された座標を検出し、検出した座標を位置信号として制御部４０に出力する。
【００６８】
課金装置４３は、金銭投入口、釣銭返金口等を備えた料金清算機であり、金銭投入口から入金された金額のデータを制御部４０に出力し、制御部４０から指示された金額の硬貨又は紙幣を釣銭返金口に排出する。
【００６９】
生体情報取得装置４ａは、指紋センサ４４、顔撮影装置４５、虹彩撮影装置４６を備えている。
指紋センサ４４は、ＣＣＤ（Charge Coupled Device）イメージセンサ、ＣＭＯＳ（Complementary Metal-Oxide Semiconductor）センサ等の光学センサにより構成され、センサの受光面に結像された指紋画像を光電変換し、指紋画像データを取得する。
【００７０】
顔撮影装置４５は、光学レンズ、ＣＣＤ等の光学センサ、Ａ／Ｄ変換器等から構成され、光学レンズを介して入力される顔画像を光学センサにより光電変換して、Ａ／Ｄ変換器によりデジタルデータに変換し、顔画像データを取得する。虹彩撮影装置４６は、虹彩認識センサにより目（虹彩）の位置を検出して、ＣＣＤカメラ等で虹彩を撮影し、虹彩の画像データを取得する。
【００７１】
なお、生体情報取得装置４ａに、顔、指紋、虹彩以外の生体情報を撮影する装置（例えば、静脈を撮影する装置）を備えるようにしてもよい。また、生体情報取得装置４ａにおいて、生体情報の特徴量のデータを取得するようにしてもよい。
【００７２】
通信部４７は、証明写真システム４と、通信ネットワークＮに接続された外部装置との間の通信を制御する。
【００７３】
次に、実施形態２における動作について説明する。
図６のフローチャートを参照して、証明写真システム４及び管理サーバ３において実行される生体情報登録処理について説明する。
【００７４】
まず、証明書写真システム４の表示モニタ４１にメニュー画面が表示される（ステップＳ１）。メニュー画面には、証明写真の撮影に関する各種のボタンが表示されており、例えば、個人情報入力画面の表示を指示するための個人情報入力ボタン等がある。メニュー画面において、個人情報入力ボタンが選択されると（ステップＳ２；ＹＥＳ）、個人情報入力画面が表示され（ステップＳ３）、個人情報入力画面に、操作部４２の操作により申請者の個人情報が入力される。
【００７５】
個人情報の入力が終了すると（ステップＳ４；ＹＥＳ）、表示モニタ４１には、支払いメニュー画面が表示される（ステップＳ５）。支払いメニュー画面には、生体情報の撮影代金、撮影代金の支払い方法を指定するためのボタン等が表示されている。支払いメニュー画面上で撮影代金の支払方法が指定されると（ステップＳ６；ＹＥＳ）、指定された支払方法に従って、撮影代金の支払い処理が実施される（ステップＳ７）。
【００７６】
撮影代金の支払い処理終了後、操作部４２の操作により、証明書に使用する生体情報が指定され、生体情報の撮影指示があると（ステップＳ８；ＹＥＳ）、生体情報取得装置４ａにより、申請者の生体情報が撮影され、生体情報のデジタルデータが取得される（ステップＳ９）。次いで、ステップＳ９で取得された生体情報及び申請者の個人情報が暗号化され（ステップＳ１０）、暗号化された情報が管理サーバ３に送信される（ステップＳ１１）。
【００７７】
管理サーバ３では、証明写真システム４から暗号化された生体情報及び個人情報が受信されると（ステップＣ２０）、その受信された暗号情報が復号化される（ステップＣ２１）。そして、復号化された生体情報及び個人情報が対応付けて生体情報ＤＢ３０に登録され（ステップＣ２２）、本生体情報登録処理が終了する。
【００７８】
生体情報登録処理後、実際に証明書の申請を行う場合は、実施形態１において図２及び図３に示した証明書申請処理が適用される。
【００７９】
以上のように、本実施形態２の電子申請システム２００によれば、生体情報撮影用の証明写真システム４で申請者の生体情報を撮影して、生体情報ＤＢ３０に登録することにより、照明、背景等の周囲の環境が常に一定に保たれた状態で撮影されたクオリティの高い生体情報を得ることができる。
【００８０】
なお、上記各実施形態における記述内容は、本発明の趣旨を逸脱しない範囲で適宜変更可能である。
【００８１】
例えば、上記各実施形態では、証明書の申請者本人が、申請者端末１により申請手続きを行うことを前提としていたが、委任状を用いた代理申請であってもよい。この場合、申請者は、デジタル署名を付した委任状データを作成して代理人に送信し、代理人は、ＰＣ等の通信端末により、申請者から取得した委任状データを電子申請書に添付して、証明書発行装置２に証明書の発行を依頼することができる。
【００８２】
また、上記各実施形態では、パスポート、運転免許証、国民証等の公的証明書の申請手続きをする方法を示したが、顔写真付きの履歴書の発行を代行するシステムにおいて、上記実施形態の申請方法を適用することができる。
【００８３】
なお、生体情報に対し、公的機関が規定する規格に適合する加工を施すようにしてもよい。ここで、規格に適合する加工とは、例えば、生体情報が顔画像である場合、顔の大きさ、頭上の空白等、証明書の規格に適合するように顔画像の位置や大きさを調整することである。そして、規格に適合した加工処理が施されたことを示す情報を生体情報に付加しておき、証明書発行装置２では、生体情報の付加情報から規格適合性を判別し、規格に適合すると判別した場合にのみ、証明書を発行するようにしてもよい。
【図面の簡単な説明】
【００８４】
【図１】本発明の実施形態１に係る電子申請システムの構成を示すブロック図。
【図２】実施形態１の電子申請システムにおいて実行される証明書申請処理を示すフローチャート。
【図３】実施形態１の電子申請システムにおいて実行される証明書申請処理を示すフローチャート。
【図４】本発明の実施形態２に係る電子申請システムの構成を示すブロック図。
【図５】図４の証明写真システムの内部構成を示すブロック図。
【図６】実施形態２の証明写真システム及び管理サーバにおいて実行される生体情報登録処理を示すフローチャート。
【符号の説明】
【００８５】
１  申請者端末（通信端末）
１１  ＰＣ
１２  Ｒ／Ｗ
２  証明書発行装置
２１  個人情報ＤＢ
３  管理サーバ
３０  生体情報ＤＢ
３１  顔ＤＢ
３２  指紋ＤＢ
３３  虹彩ＤＢ
４  証明写真システム（生体情報撮影装置）
４ａ  生体情報取得装置
４０  制御部
４１  表示モニタ
４２  操作部
４３  課金装置
４４  指紋センサ
４５  顔撮影装置
４６  虹彩撮影装置
４７  通信部
１００、２００  電子申請システム
Ｎ  通信ネットワーク
【図１】
2005309905.tif 000003
【図２】
2005309905.tif 000004
【図３】
2005309905.tif 000005
【図４】
2005309905.tif 000006
【図５】
2005309905.tif 000007
【図６】
2005309905.tif 000008